(57)【要約】【課題】光ファイバコードの余長処理において、任意の光ファイバコードの増設、減設を容易に実施でき、かつ省スペースで余長処理できる技術を提供する。【解決手段】本発明は、余長処理用トレイ内において複数の光ファイバコードの余長処理を行う方法であって、先ず、一面に、光ファイバコード４を引掛ける複数の引掛け片３が環状に配置されたプレート１であり、各引掛け片３は、プレート１に切り欠かれたコの字状のスリット２で囲まれた部分を起こすことにより形成され、かつ、先端がプレート１の外周辺側を向いて斜めに立ち上がっているプレート１を複数用意する。次に、プレート１ごとに引掛け片３を利用して各光ファイバコード４を巻きつけて余長処理を行う。そして、それぞれに各光ファイバコード４が巻きつけられた複数のプレート１を、余長処理用トレイ内に実装する。【選択図】図１
2012159617.tif 000002
【特許請求の範囲】
【請求項１】
余長処理用トレイ内において複数の光ファイバコードの余長処理を行う方法において、
一面に、前記光ファイバコードを引掛ける複数の引掛け片が環状に配置されたプレートであり、該各引掛け片は、該プレートに切り欠かれたコの字状のスリットで囲まれた部分を起こすことにより形成され、かつ、先端が前記プレートの外周辺側を向いて斜めに立ち上がっているプレートを複数用意し、
前記プレートごとに前記引掛け片を利用して前記各光ファイバコードを巻きつけて余長処理を行い、
それぞれに前記各光ファイバコードが巻きつけられた複数の前記プレートを、前記余長処理用トレイ内に実装することを特徴とする光ファイバコードの余長処理方法。
【請求項２】
前記プレートは円盤形状を有し、前記複数の引掛け片は該プレートの中心位置を中心とした少なくとも２つの同心円上に沿って等間隔で配置されている、請求項１に記載の光ファイバコードの余長処理方法。
【請求項３】
請求項１または２に記載の光ファイバコードの余長処理方法に使用したプレート。
【発明の詳細な説明】
【技術分野】
【０００１】
本発明は、光ファイバコードの余長処理方法および、これに使用する光ファイバ余長処理プレートに関する。
【背景技術】
【０００２】
光ファイバコードは基幹系ネットワークに用いられるため、従来、光ファイバコードを光通信装置に一度接続したら撤去することはそれほど多くなかった。また光ファイバコードを光通信装置間に敷設するとき、その長さを調整するための余長処理が予め行われるが、ほとんどの場合、余長処理されたコード部分は光通信装置内に収容されたままであった。
【０００３】
しかし近年、光ファイバによる家庭向けのデータ通信サービス、すなわちＦＴＴＨ（Ｆｉｂｅｒ  Ｔｏ  Ｔｈｅ  Ｈｏｍｅ）の普及により、アクセス系のネットワークにおいても、同軸ケーブルに代わって光ファイバコードの使用率が急激に高まっており、光ファイバコードの増設、減設といった作業の頻度が増えてきている。その結果、この場合の光ファイバの余長処理および収容方法についても、特定の光ファイバコードのみを操作できるような構造が求められている。
【０００４】
ＦＴＴＨネットワークの構築において電柱に架設された光ファイバを屋内に引き込む場合、芯線同士を接続して光ファイバの余長分を収容するための箱状の端子函（光クロージャと呼ばれる場合がある。）が使用される。この光クロージャは専用のトレイを有し、このトレイの内部で、屋外から導入され光ファイバの芯線と屋内の光ファイバの芯線とが融着により接続されるとともに、その余長分が丸めた状態で収められている。以下、このトレイを、余長処理用トレイと呼ぶ。
【０００５】
従来の余長処理用トレイでは、該トレイ（図３に符号５で示す部品）にクランプ（図３に符号６で示す部品）やボビン（図４に符号７で示す部品）などの構造物が固定され、この構造物に対して、数本の光ファイバコードがまとめて巻きつけられて、トレイ内に収容されていた。
【０００６】
なお、光クロージャの余長処理用トレイ内部の光ファイバコードではなく、一般的な光通信装置内部の光ファイバコードを余長処理するものであるが、特許文献１および２には、光通信装置内部で特定の光ファイバコードの長さを調整できるように、その光ファイバコードを保持して適当な曲げ半径に曲げられる回転可能な環状部品が開示されている。さらに特許文献３にも、光通信装置内部で特定の光ファイバコードの余長を変えるためにその光ファイバコードを数回巻きつけられる環状部品が開示されている。
【先行技術文献】
【特許文献】
【０００７】
【特許文献１】実開平４−８７８０３号公報
【特許文献２】特開平９−２０２５３６号公報
【特許文献３】特開平６−７５１２５号公報
【発明の概要】
【発明が解決しようとする課題】
【０００８】
従来の余長処理構造（図３および図４に示した余長処理用トレイ内部のクランプ，ボビン等）においては、下記ａ）〜ｃ）の課題がある。
【０００９】
ａ）構造物に対し数本の光ファイバコードをまとめて巻きつけて収容していたため、収容後に特定の光ファイバコードを取り外すには、全ての光ファイバコードをクランプもしくはボビンから取り出す必要がある。
【００１０】
ｂ）光ファイバコードの本数に限定することなく、その数より多めにクランプやボビンなどの構造物を、余長処理用トレイ上にあらかじめ用意しておく必要がある。このため、光ファイバの余長処理を行うためのトレイ上のスペースが、必要以上に大きく確保されていた。
【００１１】
ｃ）光ファイバコードの余長処理を行うための場所が、限定されてしまう。
【００１２】
また、本願の発明対象とは異なるが、特許文献１〜３に開示されるような光通信装置内部の光ファイバの余長処理構造は複数の部品で構成されているため、コスト高を招くとともに、小型化が困難であるという問題がある。
【００１３】
そこで本発明の目的の一例は、上記の課題を解決することができる、余長処理用トレイ内部における光ファイバの余長処理方法、およびこれに使用する光ファイバ余長処理プレートを提供することにある。
【課題を解決するための手段】
【００１４】
本発明は、光ファイバコードの余長処理において、任意の光ファイバコードの増設、減設を容易に実施でき、かつ省スペースで余長処理できる技術を提供する。
【００１５】
その一態様は、余長処理用トレイ内において複数の光ファイバコードの余長処理を行う方法に係る。この方法では先ず、一面に、光ファイバコードを引掛ける複数の引掛け片が環状に配置されたプレートであり、該各引掛け片は、該プレートに切り欠かれたコの字状のスリットで囲まれた部分を起こすことにより形成され、かつ、先端がプレートの外周辺側を向いて斜めに立ち上がっているプレートを複数用意する。次に、プレートごとに引掛け片を利用して各光ファイバコードを巻きつけて余長処理を行う。そして、それぞれに各光ファイバコードが巻きつけられた複数のプレートを、光通信ユニットの余長処理用トレイ内に実装する。尚、本発明には、上記の光ファイバ余長処理方法に使用したプレートも含まれる。
【発明の効果】
【００１６】
本発明によれば、光ファイバコードごとに余長処理を行えるため、光ファイバコードの減設時に特定の光ファイバコードだけを操作することができる。また、光ファイバコードの余長処理として、クランプ、ボビン、回転部品等を使用しないため、設置空間を小さくできる。また、光ファイバコードの余長処理を本プレートで完結できるため、トレイ上の任意の場所で余長処理を行うことができる。
【図面の簡単な説明】
【００１７】
【図１】本発明の一実施形態である、余長処理用トレイ内に設置可能な光ファイバ余長処理プレートを示す斜視図。
【図２】本実施形態のプレートを、ＦＴＴＨネットワーク用光クロージャの余長処理用トレイ内に実施するときの様子を示す図。
【図３】光ファイバ余長処理用トレイにおける、余長処理構造の従来例として、クランプを示す斜視図。
【図４】光ファイバ余長処理用トレイにおける、余長処理構造の従来例として、ボビンを示す斜視図。
【発明を実施するための形態】
【００１８】
以下、本発明の実施の形態について図面を参照して説明する。
【００１９】
図１は、本発明の一実施形態である、余長処理用トレイ内に設置可能な光ファイバ余長処理プレートを示す斜視図である。
【００２０】
本願発明の構成としては、図１に示すように、金属製や樹脂製のプレート１に、コの字状のスリット２が複数形成され、各スリット２で囲まれた部分を立ち上げることにより、光ファイバコード４を引掛ける複数の引掛け片３が形成されている。各引掛け片３は先端がプレート１の外周辺側を向いて斜めに立ち上がっている。
【００２１】
プレート１は円盤形状を有し、複数の引掛け片３はプレート１の中心位置を中心とした少なくとも２つの同心円上に沿って等間隔で配置されている。各同心円の半径は、光ファイバコード４の許容される曲げ半径を考慮して設定されている。なお、複数の引掛け片３の配置に関しては円周上の配置に限定されず、少なくとも二重の環状に沿って配置されていればよい。
【００２２】
このような任意の複数の引掛け片３に光ファイバコード４を引っ掛けながら、それらの引掛け片３に渡って光ファイバコード４を巻きつけることで、光ファイバの余長処理が可能となる。
【００２３】
また、プレート１の中心位置を中心とした２つの同心円のそれぞれに沿って複数の引掛け片３が用意されている、すなわち、内周側の複数の引掛け片３と外周側の複数の引掛け片３とが備えられている。そのため、個々のプレート１に巻きつける光ファイバコード４の長さがばらついても、その長さに容易に対応して余長処理を行うことができる。
【００２４】
図２は、本実施形態のプレート１を、ＦＴＴＨネットワーク用光クロージャの余長処理用トレイ内に実施するときの様子を示す。尚、余長処理用トレイについては図示を省略した。
【００２５】
接続ポート単位に、図１に示したように光ファイバコード４を本実施形態のプレート１の任意の複数の引掛け片３に渡って巻きつける。これにより、光ファイバコード４ごとに余長処理が行われる。そして、図２に示すように、光ファイバコード４を巻きつけた複数の接続ポート用のプレート１を、光クロージャの余長処理用トレイ（不図示）内の任意の場所に一緒に実装する。このとき、各プレート１については固定しなくてよい。
【００２６】
特定の光ファイバコードを撤去する場合には、撤去対象の光ファイバコードが余長処理されているプレート１のみを操作することで、容易に本作業を行うことができる。
【００２７】
また、余長処理手法としてクランプやボビンなどを使用しないため、余長処理用トレイにおける高さもしくは厚み方向のスペースを小さくすることができる。このため、余長処理するための空間を小さくすることができ、かつ、空いているスペースを利用してこのプレートを実装することもできる。
【００２８】
また、接続ポート単位でプレート１を用意するため、接続ポートの情報をそのプレートに書き込んでおけば、光ファイバコードの増設および減設の際の誤操作を防止することができる。
【００２９】
また、光ファイバコードを巻きつけるための引掛け片３は、プレート１の一部を立ち上げたものである。つまり、本発明の余長処理構造は部品１点で構成されている。したがって、製品価格を抑えることができる。
【００３０】
以上に本発明の実施形態を説明したが、本願発明は、図示した形態に限らず、本願発明の思想を逸脱しない範囲で如何なる形状の変更も含む。
【符号の説明】
【００３１】
１    プレート
２    スリット
３    引掛け片
４    光ファイバコード
５    余長処理用トレイ
６    クランプ
７    ボビン
【図１】
2012159617.tif 000003
【図２】
2012159617.tif 000004
【図３】
2012159617.tif 000005
【図４】
2012159617.tif 000006